(57)【特許請求の範囲】
【請求項１】
ユーザの指示に従って、画像の配置位置を示す少なくとも１つの枠をプレビューウィンドウ上に表示し、当該枠に対して複数の編集処理を対応付け、メモリーに格納されている複数の画像の中から画像を選択するときに用いる選択条件を決定するステップと、
前記配置位置の情報と前記枠に対応付けられた編集処理の情報と前記選択条件の情報とを、１つのレイアウト名称に対応付けて登録するステップと、
登録されている複数のレイアウト名称をメニュー表示するステップと、
前記メニュー表示された複数のレイアウト名称の中から、ユーザの選択指示に基づいて、ユーザ所望のレイアウト名称を特定するステップと、
当該特定されたユーザ所望のレイアウト名称に対応づけて登録されている配置位置の情報と編集処理の情報と選択条件の情報とを呼び出し、前記メモリーに格納されている複数の画像の中から当該呼び出した選択条件を満たす画像を選択し、更に、当該呼び出した配置位置の情報に基づく配置処理と当該呼び出した編集処理の情報に基づく編集処理とを当該選択された画像に対して実行するステップと
を、画像処理装置が実行するように制御することを特徴とする画像処理方法。
【請求項２】
前記メニュー表示するステップでは、前記登録されている複数のレイアウト名称がプルダウンメニューで表示されることを特徴とする請求項１に記載の画像処理方法。
【請求項３】
前記編集処理は、画像の回転、拡大、縮小、輝度の変更、コントラストの変更、アスペクト比の指定、トリミング、鏡像反転とのうちの少なくともいずれかを含むことを特徴とする請求項１に記載の画像処理方法。
【請求項４】
前記選択条件を決定するステップでは、予め登録されている複数の選択条件の中からユーザの指示に基づいてユーザ所望の選択条件を決定することを特徴とする請求項１に記載の画像処理方法。
【請求項５】
前記選択条件は、前記画像の格納順を基準とした条件であることを特徴とする請求項４に記載の画像処理方法。
【請求項６】
画像を選択するときの選択条件が決定されずに登録指示がなされた場合、前記登録ステップでは、前記配置位置の情報と前記枠に対応付けられた編集処理の情報とを、１つのレイアウト名称に対応付けて登録し、
前記特定ステップにおいて、前記メニュー表示された複数のレイアウト名称の中から前記選択条件が対応付けられていないレイアウト名称が特定された場合、前記実行ステップでは、当該特定されたレイアウト名称に対応付けて登録されている配置位置の情報と編集処理の情報とを呼び出し、当該呼び出した配置位置の情報に基づく配置処理と当該呼び出した編集処理の情報に基づく編集処理とを、ユーザにより選択された画像に対して実行し、一方、
前記特定ステップにおいて、前記メニュー表示された複数のレイアウト名称の中から前記選択条件が対応付けられているレイアウト名称が特定された場合、前記実行ステップでは、当該特定されたレイアウト名称に対応づけて登録されている配置位置の情報と編集処理の情報と選択条件の情報とを呼び出し、前記メモリーに格納されている複数の画像の中から当該呼び出した選択条件を満たす画像を選択し、更に、当該呼び出した配置位置の情報に基づく配置処理と当該呼び出した編集処理の情報に基づく編集処理とを当該選択された画像に対して実行することを特徴とする請求項１に記載の画像処理方法。
【請求項７】
ユーザの指示に従って、画像の配置位置を示す少なくとも１つの枠をプレビューウィンドウ上に表示し、当該枠に対して複数の編集処理を対応付け、メモリーに格納されている複数の画像の中から画像を選択するときに用いる選択条件を決定する手段と、
前記配置位置の情報と前記枠に対応付けられた編集処理の情報と前記選択条件の情報とを、１つのレイアウト名称に対応付けて登録する手段と、
登録されている複数のレイアウト名称をメニュー表示する手段と、
前記メニュー表示された複数のレイアウト名称の中から、ユーザの選択指示に基づいて、ユーザ所望のレイアウト名称を特定する手段と、
当該特定されたユーザ所望のレイアウト名称に対応づけて登録されている配置位置の情報と編集処理の情報と選択条件の情報とを呼び出し、前記メモリーに格納されている複数の画像の中から当該呼び出した選択条件を満たす画像を選択し、更に、当該呼び出した配置位置の情報に基づく配置処理と当該呼び出した編集処理の情報に基づく編集処理とを当該選択された画像に対して実行する手段と、
を有することを特徴とする画像処理装置。
【請求項８】
ユーザの指示に従って、画像の配置位置を示す少なくとも１つの枠をプレビューウィンドウ上に表示し、当該枠に対して複数の編集処理を対応付け、メモリーに格納されている複数の画像の中から画像を選択するときに用いる選択条件を決定するステップと、
前記配置位置の情報と前記枠に対応付けられた編集処理の情報と前記選択条件の情報とを、１つのレイアウト名称に対応付けて登録するステップと、
登録されている複数のレイアウト名称をメニュー表示するステップと、
前記メニュー表示された複数のレイアウト名称の中から、ユーザの選択指示に基づいて、ユーザ所望のレイアウト名称を特定するステップと、
当該特定されたユーザ所望のレイアウト名称に対応づけて登録されている配置位置の情報と編集処理の情報と選択条件の情報とを呼び出し、前記メモリーに格納されている複数の画像の中から当該呼び出した選択条件を満たす画像を選択し、更に、当該呼び出した配置位置の情報に基づく配置処理と当該呼び出した編集処理の情報に基づく編集処理とを当該選択された画像に対して実行するステップと、
の各ステップをコンピュータに実行させるためのプログラムを格納した、コンピュータ読取可能な記憶媒体。
【発明の詳細な説明】
【０００１】
【発明の属する技術分野】
本発明は、画像に対して所望の編集処理を施すことのできる画像処理方法、装置及び記憶媒体に関するものである。
【０００２】
本発明は、編集処理を指示する際の操作性を向上させる為の画像処理方法、装置及び記憶媒体に関するものである。
【０００３】
本発明は、複数の画像情報から、所望の画像情報を選択して配置することのできる画像処理方法、装置及び記憶媒体に関するものである。
【０００４】
【従来の技術】
従来、選択した画像に対して指示し、施した編集処理は、その画像情報に対して記憶され、編集処理のみの記憶はできなかった。
【０００５】
従来、複数の画像の中から画像を選択する時の条件は、選択する度に指示しなければならなかった。
【０００６】
【発明が解決しようとしている課題】
しかしながら、上記従来の技術では、例えば、予め用意されているテンプレート、例えばクリスマスカードや年賀状の雛型の一部にオペレータが撮影した画像等所望の画像を配置し、しかもその画像に拡大、縮小、移動、回転等の編集処理を行った場合には、その画像に対して行った編集処理は画像に対して記憶され、テンプレートに配置する画像を違う画像に変更する場合には再度それらの編集処理を新しい画像に対して指示し直さなければならなかった。
【０００７】
従って、複数の画像に対して同じ編集処理を施したい時には、同じ編集指示操作を画像枚数分繰り返して行わなければならず、非常にめんどうであった。
【０００８】
また、上記従来の技術では、同じ選択条件を繰り返し使用して画像を選択する時にも、その度に選択条件を入力しなければならず、非常にめんどうであった。
【０００９】
【課題を解決するための手段】
上記課題を解決するために、本発明の画像処理方法は、ユーザの指示に従って、画像の配置位置を示す少なくとも１つの枠をプレビューウィンドウ上に表示し、当該枠に対して複数の編集処理を対応付け、メモリーに格納されている複数の画像の中から画像を選択するときに用いる選択条件を決定するステップと、前記配置位置の情報と前記枠に対応付けられた編集処理の情報と前記選択条件の情報とを、１つのレイアウト名称に対応付けて登録するステップと、登録されている複数のレイアウト名称をメニュー表示するステップと、前記メニュー表示された複数のレイアウト名称の中から、ユーザの選択指示に基づいて、ユーザ所望のレイアウト名称を特定するステップと、当該特定されたユーザ所望のレイアウト名称に対応づけて登録されている配置位置の情報と編集処理の情報と選択条件の情報とを呼び出し、前記メモリーに格納されている複数の画像の中から当該呼び出した選択条件を満たす画像を選択し、更に、当該呼び出した配置位置の情報に基づく配置処理と当該呼び出した編集処理の情報に基づく編集処理とを当該選択された画像に対して実行するステップとを、画像処理装置が実行するように制御する。
【００１１】
上記課題を解決するために、本発明の画像処理装置は、ユーザの指示に従って、画像の配置位置を示す少なくとも１つの枠をプレビューウィンドウ上に表示し、当該枠に対して複数の編集処理を対応付け、メモリーに格納されている複数の画像の中から画像を選択するときに用いる選択条件を決定する手段と、前記配置位置の情報と前記枠に対応付けられた編集処理の情報と前記選択条件の情報とを、１つのレイアウト名称に対応付けて登録する手段と、登録されている複数のレイアウト名称をメニュー表示する手段と、前記メニュー表示された複数のレイアウト名称の中から、ユーザの選択指示に基づいて、ユーザ所望のレイアウト名称を特定する手段と、当該特定されたユーザ所望のレイアウト名称に対応づけて登録されている配置位置の情報と編集処理の情報と選択条件の情報とを呼び出し、前記メモリーに格納されている複数の画像の中から当該呼び出した選択条件を満たす画像を選択し、更に、当該呼び出した配置位置の情報に基づく配置処理と当該呼び出した編集処理の情報に基づく編集処理とを当該選択された画像に対して実行する手段と、を有することを特徴とする。
【００１３】
上記課題を解決するために、本発明のコンピュータ読取可能な記憶媒体は、ユーザの指示に従って、画像の配置位置を示す少なくとも１つの枠をプレビューウィンドウ上に表示し、当該枠に対して複数の編集処理を対応付け、メモリーに格納されている複数の画像の中から画像を選択するときに用いる選択条件を決定するステップと、前記配置位置の情報と前記枠に対応付けられた編集処理の情報と前記選択条件の情報とを、１つのレイアウト名称に対応付けて登録するステップと、登録されている複数のレイアウト名称をメニュー表示するステップと、前記メニュー表示された複数のレイアウト名称の中から、ユーザの選択指示に基づいて、ユーザ所望のレイアウト名称を特定するステップと、当該特定されたユーザ所望のレイアウト名称に対応づけて登録されている配置位置の情報と編集処理の情報と選択条件の情報とを呼び出し、前記メモリーに格納されている複数の画像の中から当該呼び出した選択条件を満たす画像を選択し、更に、当該呼び出した配置位置の情報に基づく配置処理と当該呼び出した編集処理の情報に基づく編集処理とを当該選択された画像に対して実行するステップと、の各ステップをコンピュータに実行させるためのプログラムを格納する。
【００２９】
【発明の実施の形態】
図１は本発明に係る画像処理装置の構成を示すブロック図である。図1において、画像読取装置１は、スキャナ等、原稿の画像を光学的に読み取る画像入力手段として機能するものであって、スキャナの他、ＣＤ−ＲＯＭやＦＤ、ＭＯ等の本装置に着脱可能であって画像データを記憶し、本装置に入力することの可能な記憶媒体であっても良いし、或は通信回線を介して接続される多端末から画像データをダウンロードするための通信インタフェースであっても良い。また、読み取る画像は紙のような記録媒体に記録、或は記入された画像を光学的に読み取った画像であっても良いし、画像読取装置１としてフィルムスキャナを用いてフィルムの画像を入力するようにしても良いし、或は、デジタルカメラ等により撮影されたデジタル画像であっても良い。
【００３０】
画像表示装置２は、画像読取装置１から入力した画像データを表示する画像表示手段として機能するものであって、メモリー（ＲＯＭ）３、メモリー（ＲＡＭ）４、マイクロプロセッサー５、表示画面６を含み、メモリー４は、画像読取装置１により入力した画像データを格納し、また、処理途中で生じたデータを格納するワークメモリとしても機能する。更に、本発明に係る登録データも、メモリー４に登録される。後述するフローチャートを実行する為の制御プログラムは、メモリー３に格納されたものであっても、メモリー４に格納されたものであっても良い。本装置に着脱可能な記憶媒体（例えばＣＤ−ＲＯＭ、ＦＤ、ＭＯ等。不図示）や、通信回線を介して接続される他端末から制御プログラムをダウンロードする場合は、メモリー４に格納する。メモリー３及び４に格納された制御プログラムに従って、マイクロプロセッサー５の制御のもと、本発明に係る処理は実行される。表示画面６はＣＲＴや液晶表示器により実現され、画像データや各種編集を行う画面及びデータの登録画面を表示することにより、その画面上での画像の編集、各種データの登録を表示画面6上で行えるようにする。表示画面６にはカーソル８を表示してカーソルを所望の位置に移動させることにより、表示画面６上の所望の座標を指示できるようにする。
【００３１】
入力手段７は、キーボード等の文字コード及びファンクションを入力する手段や、或はマウス、タブレット等の座標入力手段であって、各種データを入力する手段として機能する。プリンター９は、画像データや、図形データ、文字列等、表示画面６で作成されたデータを出力する出力手段として機能するものであって、例えばＬＢＰやインクジェットプリンタ等により実現される。従って、画像読取装置１により読み取られ、表示画面６に表示された画像に対する移動、回転、拡大、縮小等の編集処理は、入力手段７により編集の種類の指示が入力され、マイクロプロセッサー５により編集処理が実行され、プリンター9より編集後の画像が出力される。
【００３２】
尚、本願発明を実施する形態として、図1に示す構成を全て単独で備えた装置に限るものではなく、画像読取装置１やプリンター９等が画像表示装置２及び入力手段７とネットワークを介して接続されているシステムであっても良い。
【００３３】
図4は、本発明に係る処理を指示する為のメイン画面であって、表示画面６上にウインドウとして表示される。この画面において、画像読取手段１より入力した画像を表示し、その表示された画像の中から所望の画像を選択する処理が行われる。画像読取手段１による画像の読取開始指示は読み込みボタン１４を指示することによりなされる。読み込みボタン１４を１回指示したことに応答して、画像読み取り手段１による一回の読取処理を行うが、読取対象が複数画像ある場合は、この一回の読取処理で複数の画像を読み込むみ、メイン画面に表示する。尚、表示画面に表示される各種ボタンの指示は、そのボタンのパターンが表示されている位置を入力手段７で指示（例えばマウスボタンのクリック或はタブレット上でのペンのタップ等）された時に、指示された位置の座標と、ボタンを表示している領域を表す座標情報（メモリー４に格納されている）とを比較して、どのボタンが指示されたかを判断することにより可能である。これは、後述するどの画面及びどのボタンについても同様である。また、画面上の各種ボタンに相当するコマンドをキーボードより入力しても良いことは勿論である。
【００３４】
メイン画面においては、印刷ボタン１５の指示に応じて、その時選択されている画像をプリンター９より印刷する。ここで、選択されている画像とは、画像読取手段１より読み取られ、サムネイル画像（縮小画像）として表示されている複数の画像の中から、サムネイル画像１３上での入力手段のクリック、或はサムネイル画像１２毎に設けたチェックボックス１３上での入力手段のクリックによりその画像の選択が指示され、選択されたことに応じてチェックボックス１３に選択されたことを識別可能とする識別子が表示されている画像のことである。図６の例ではチェックボックス１３に「レ」マークを表示することにより、選択画像と非選択画像とを識別できるようにしている。この、画像の選択処理は、サムネイル画像１２上或はチェックボックス１３上でクリックする度に、選択及び非選択を交互に切り替えてその画像の状態をメモリー４に格納する。また、選択された画像は印刷イメージプレビューウインドウ１１に表示する。ただし、印刷イメージプレビューウインドウ１１には一枚の用紙にレイアウトする画像しか表示しないので、プレビュー頁めくりボタン１６をクリックすることにより、現在表示されている画像の前後に、プレビュー表示する画像を切り替えることができる。また、プレビュー頁めくりボタンの傍には選択された画像を選択されたレイアウトで配置すると用紙が全部で何枚あって、その内の何番目の用紙が印刷イメージプレビューウインドウ１１に表示されているかを示す数値を表示する。図４の例では、用紙は全部で４枚であり、その内の１枚目が印刷イメージプレビューウインドウ１１に表示されていることを示している。図４の例では選択された画像のプレビュー表示は不図示となっている。
【００３５】
印刷設定ボックス１０には、予めメモリー４に登録されているレイアウトの中から選択状態にあるレイアウトを表示する。入力手段７により、印刷設定ボックス１０の下向き三角ボタンを指示することにより、メモリー４から印刷設定ボックス１０に設定可能な表示すべきレイアウト名称を読み出して、プルダウンメニューとして表示する。図５は、その時の表示例示図である。ここでは、９個のレイアウト名称を表示し、選択可能にしている場合の表示例を示している。このプルダウンメニュー内で所望のレイアウト名称を指示することにより、その名称と対応付けて記憶されているレイアウト情報をメモリー４から読み出して、選択画像に設定する。印刷イメージプレビューウインドウ１１は、一枚の用紙に配置される画像を表示するが、画像がまだ選択されていない時は、図４のように印刷設定ボックス１０に表示されているレイアウト名称に対応するレイアウト情報に従った画像のレイアウトを表す枠を表示する。図６の例では１枚の用紙に１枚の画像をレイアウトする例である。即ち、印刷設定ボックス１０においてレイアウトが選択される毎に、印刷イメージプレビューウインドウ１１内の枠の表示を更新する。
【００３６】
また、画像が選択された場合は、その画像を印刷設定ボックス１０に表示されているレイアウト名称に対応するレイアウトで印刷イメージプレビューウインドウ１１に表示する。即ち、画像未選択状態で表示されていた枠の位置に画像を添付する。
【００３７】
サムネイル画像上でマウスのボタンをクリックしたままカーソルを印刷イメージプレビューウインドウ１１内まで移動させ、そこでボタンのクリックを解除することにより、ボタンをクリックした位置のサムネイル画像を印刷イメージプレビューウインドウ１１に表示するよう指示することができる。このような画像選択指示操作により選択された画像を表示した印刷イメージプレビューウインドウ１１は、図６に示すとおりである。
【００３８】
また、画像の選択方法としては、上述のようにサムネイル画像に対して選択することを指示する方法の他に、印刷設定ボックス１０で画像の選択条件を含むレイアウト名称を選択する方法がある。この図６の例では、印刷設定ボックス１０において、「画像の最初の４コマ」という画像の選択条件が含まれているレイアウトを選択した為、サムネイル画像１２の中から最初の４コマを選択し、各サムネイル画像のチェックボックスにも選択状態を示す識別子を表示している。
【００３９】
また、印刷設定ボックス１０を用いた画像の選択方法として、図５のプルダウンメニューに表示されているような「ＡＰＳパノラマ」という画像の磁気情報を選択条件として含んでいるレイアウトを選択した場合には、表示されているサムネイル画像の各々の磁気情報を読み出して選択条件に一致する画像、即ちこの場合ではＡＰＳパノラマで撮影された画像のみを選択する方法もある。磁気情報は、画像読取手段１により画像を読み込むときに、共に読み込んでメモリー４に格納しておくものである。
【００４０】
次に、図５のような印刷設定ボックス１０のプルダウンメニューに選択対象として表示することができるように所望のレイアウトを登録する処理について説明する。このレイアウトの登録処理は、オペレータが入力手段７により必要情報を入力することによりメモリー４に登録するものである。図２は、レイアウトの登録時の処理を示すフローチャートである。
【００４１】
登録するレイアウトを指定する為には、メイン画面において編集ボタン１７を指示することにより、編集画面（図７）を表示し、この画面上で画像に施すべき編集処理を指示する。用紙選択ボックス３２において、所望の用紙サイズと用紙の向き、例えばＡ４サイズであるとか、Ｂ５サイズであるとか、縦置き、横置きを指示する。この用紙選択ボックス３２は、予め指定可能な用紙サイズ及び用紙の向きの組み合わせパターンとしてメモリー４に格納してあった情報をプルダウンメニューの形態で提供し、その中からオペレータが入力手段７による指示に応じて指示された用紙サイズと用紙の向きとを選択するものである。用紙選択ボックス３２において用紙が選択されたら、印刷プレビューウインドウ３１にその用紙サイズと用紙の向きを表す枠を表示する。画像を配置するレイアウト及びその画像に対して行う編集処理は、この用紙の中で設定される。また、設定するレイアウトの元は、レイアウト選択ボックス３３で所望のレイアウトを選択することにより、その選択されたレイアウトを表す枠を印刷プレビューウインドウ３１に表示することによって得ることができる。レイアウト選択ボックス３３に表示するレイアウト名称は、図５のプルダウンメニューに表示したレイアウト名称と同じであり、メモリー４に格納されているレイアウト名称である。ただし、この編集画面で設定するレイアウト情報は画像の配置と編集処理であって、画像の選択条件は後述する他の画面で設定するので、レイアウト選択ボックスには画像の選択条件のみを表すレイアウト名称は表示しないように制御しても良い。
【００４２】
レイアウト選択ボックス３３でレイアウト名称が選択されたら、そのレイアウト名称に対応するレイアウト情報をメモリー４から読み出して、そのレイアウトを表す枠を印刷プレビューウインドウ３１に表示し、その枠に対する編集処理の指示を開始する。
【００４３】
編集処理の指示は、編集処理指示ボタン表示ウインドウ３４に表示されている各種ボタンを入力手段７により指示することにより、そのボタンに対応する編集処理を印刷プレビューウインドウ３１に表示されている枠に対して施し、かつその指示された編集の種類をメモリー４に格納する。１枚の用紙内に複数の画像を配置するレイアウトのときは、編集を施す対象の画像を選択した後、編集の種類を指示することで、編集対象の画像とその画像に対応付ける編集処理を特定することができる。これは、編集の種類が入力された時に、選択状態になっている画像を識別し、その画像の配置情報に指示された編集の種類を対応付けてメモリー４に格納することで、実現可能である。編集指示ボタン表示ウインドウ３４に指示ボタンとして表示され、選択が可能な編集の種類は、画像のアスペクト比の指定、指定範囲のトリミング、画像の右９０度回転、左９０度回転、所定パーセント毎の画像の拡大、所定パーセント毎の画像の縮小、鏡像反転、ブライトネス調整、コントラスト調整等である。また、編集処理指示の補助コマンドとして、印刷プレビューウインドウ３１に表示されている全ての画像を選択する全て選択コマンド、指示した編集を取り消す元に戻すコマンド、印刷プレビューウインドウ３１内で指示した画像を消去するための画像消去コマンドも、編集処理指示ボタン表示ウインドウ３４に表示し、選択可能とする。
【００４４】
この、印刷プレビューウインドウ３１では、画像を表す枠に対して各種編集処理を施す環境としても良いが、サムネイル画像表示ウインドウ３５内に表示されているサムネイル画像を、先に説明したような方法で選択することにより、画像を印刷プレビューウインドウ３１に表示し、よりリアルな表示画面上で編集処理を施す環境としても良い。この、サムネイル画像表示ウインドウ３５に表示するサムネイル画像３６は、編集ボタン１７が指示された時点でメイン画面にサムネイル表示されていた画像である。
【００４５】
このような編集処理を指示した後、詳細設定ボタン３０が指示された場合に、登録画面（図８）を表示画面６に表示し、レイアウトの登録指示を行う（Ｓ１）。先の編集画面でオペレータが編集、加工したレイアウトを登録画面のレイアウトプレビュー表示ウインドウ４３に表示してオペレータが確認できるようにし（Ｓ２）、更に、印刷設定リスト１９、新規レイアウト名称ボックス４０、磁気情報ボックス４１、画像付帯情報ボックス４２への指示入力を受けつける（Ｓ３）。磁気情報ボックス４１にプルダウンメニューの形態で表示する磁気情報リストを図９に示す。これらの情報は、メモリー４に予め記憶されているものであって、磁気情報ボックス４１の下向き三角ボタンの指示に応じてメモリー４から読み出して表示する。このリスト内で入力手段７により指示された磁気情報を選択し、磁気情報ボックス４１に表示する。
【００４６】
画像付帯情報ボックス４２にプルダウンメニューの形態で表示する画像付帯情報リストを図１０に示す。これらの情報は、メモリー４に予め記憶されているものであって、画像付帯情報ボックス４２の下向き三角ボタンの指示に応じてメモリー４から読み出して表示する。このリスト内で入力手段７により指示された画像付帯情報を選択し、画像付帯情報ボックス４２に表示する。ここで、画像付帯情報とは、画像を選択する時の選択条件を示すものであって、例えば全ての画像という付帯情報を選択した場合には、サムネイル画像として表示されている、即ち画像読取手段１により読み取った全ての画像を選択し、配置して出力するよう制御する。また、一つおきの画像という付帯情報を選択した場合には、サムネイル画像として表示されている、即ち画像読取手段１により読み取った画像のうち、一番目の画像から一つおき、即ち一番目の画像、三番目の画像、五番目の画像、…を選択し、配置して出力するものである。
【００４７】
登録ボタン４４が指示された場合（Ｓ４）には、その時点でレイアウトビュー表示ウインドウ４３に表示されている画像を配置する位置と編集処理からなるレイアウト情報、印刷設定リストボックス１９に表示されている印刷設定情報、写真の大きさボックスに表示されている写真の大きさ情報、用紙選択ボックスに表示されている用紙選択情報、画像の数ボックスに表示されている画像の数情報、磁気情報ボックス４１に表示されている磁気情報、画像付帯情報ボックス４２に表示されている画像付帯情報を、新規レイアウト名称ボックス４０に表示されているレイアウト名称と対応付けてメモリー４に記憶する（Ｓ５）。尚、メモリー４に登録するレイアウト情報とは、レイアウトの各種情報を画像を表示したプレビューウインドウ上で指示した場合であっても、その画像を除き、指示された編集の種類とレベル（例えば拡大や縮小のパーセントなどのパラメータ）のみとする。レイアウト名称は、上記の各情報を呼び出すための識別子として機能するものであって、キーボードやソフトキー等により入力される所望の文字列でも数字列であっても良い。削除ボタン４５が指示された場合には、登録画面（図８）で入力される度にメモリー４に格納された各情報をメモリー４から全て消去し、編集画面（図７）に戻る。また、キャンセルボタンが指示された場合にも、登録画面（図８）が表示されてから新たに入力され、メモリー４に格納された情報をメモリー４から消去し、編集画面（図７）に戻る。
【００４８】
また、新規レイアウトを登録するのではなく、既に登録されているレイアウトを編集する場合には、編集画面（図７）でそのレイアウト名称を指定してレイアウト情報を呼び出し、そのレイアウト情報に対して編集画面及び登録画面で編集を指示した後、ＯＫボタン４６を指示することにより、その新たに指示された情報にレイアウト情報を更新する。この場合、新規レイアウト名称ボックス４０には先に編集画面で呼び出したレイアウトのレイアウト名称を表示し、ＯＫボタン４６の指示に応じて、その指示されたレイアウト名称に対してレイアウト情報を呼び出して表示した後新たに指示入力或は変更された項目のメモリー４内の情報を、その新たに入力或は変更された情報に更新する。
【００４９】
図３のフローチャートを用いて、登録されたレイアウトの呼び出し時における処理を説明する。メイン画面（図６）において、印刷設定ボックス１０で所望のレイアウト名が選択されたら、そのレイアウト名に対応付けてメモリー４に格納されているレイアウト情報を呼び出して印刷プレビューウインドウ１１にそのレイアウトを示す枠を表示して（Ｓ２１）オペレータによるレイアウトの確認を可能とする。また、その選択されたレイアウトが画像の選択条件をも含むものであった場合には、その選択条件に従って画像を選択し、また、選択されたレイアウトが画像の選択条件を含まないものであった場合には、画像の選択操作を受けつける（Ｓ２２）。Ｓ２３においてオペレータによる画像の選択操作がなされたら、Ｓ２４に進む。Ｓ２４では、Ｓ２２或はＳ２３で選択された画像を印刷プレビューウインドウ１１に添付して表示する。印刷プレビューウインドウ１１に表示する画像は、選択されたレイアウト名に対応してメモリー４から呼び出したレイアウト通りに配置及び編集された画像とする。印刷ボタン１５が指示された場合には（Ｓ２５）、印刷プレビューウインドウ１１に表示されたとおりに印刷データを構成し、プリンター９より印刷を行う。
【００５０】
【発明の効果】
以上のように、画像印刷アプリケーションにおいて、オペレータ自身が画像の大きさや傾斜角度、位置、切りぬき範囲、鏡象等、編集し、それらの複数の編集指示からなる編集グループをテンプレートとして登録することで、同じレイアウトを呼び出して異なる画像を添付する場合に、画像を選択するだけで印刷用紙にそのオペレータが以前指示した複数の編集処理を施した画像を添付できるようになり、操作性が格段に向上する。また、繰り返し編集処理を指示する必要がなくなるので、操作ミスが起こる可能性も低くなり、より正確な編集を行うことができる。
【００５１】
また、例えばＡＰＳフィルムにおける磁気情報のように、画像に関連して記録されている日付、時間、露出，焦点距離、画像の縦横比（アスペクト比）等の磁気情報や、選択対象となっている複数の画像情報の格納順を基準とした選択条件を予め複数登録しておき、選択条件を示する時にはその登録されている複数の選択条件の中から所望の選択条件を指示するだけで良くすることにより、選択条件の指示の操作性が向上する。
【図面の簡単な説明】
【図１】本発明に係る画像処理装置の構成を示すブロック図
【図２】レイアウト登録処理のフローチャート
【図３】レイアウト呼び出し処理のフローチャート
【図４】メイン画面の表示例示図
【図５】メイン画面において、印刷設定を行う時の表示例示図
【図６】メイン画面において、画像の選択条件を指定した時の表示例示図
【図７】編集画面の表示例示図
【図８】登録画面の表示例示図
【図９】磁気情報リスト例示図
【図１０】画像付帯情報リスト例示図
【図１】
0004240640.tif 000002
【図２】
0004240640.tif 000003
【図３】
0004240640.tif 000004
【図４】
0004240640.tif 000005
【図５】
0004240640.tif 000006
【図６】
0004240640.tif 000007
【図７】
0004240640.tif 000008
【図８】
0004240640.tif 000009
【図９】
0004240640.tif 000010
【図１０】
0004240640.tif 000011